(57)【特許請求の範囲】
【請求項１】
都市装備対象物を電子マップ（１１、１２）上に表示する方法であって、該方法は、ナビゲーション機器によって実行され、該方法は、
複数の都市装備対象物に対する対象物データを提供するステップであって、該対象物データは、対象物位置データ（３２）および要素タイプ同定データ（３３）を含み、該要素タイプ同定データは、要素タイプ識別子および要素サブタイプ識別子を含む、ステップと、
少なくとも１つの要素タイプに対する要素タイプデータを提供するステップであって、該要素タイプデータは、グラフィカル表示データ（４１ｂ、５１ｂ）を含む、ステップと、
該少なくとも１つの要素タイプの少なくとも１つの要素サブタイプに対する要素サブタイプデータを提供するステップであって、該要素サブタイプデータは、グラフィカル表示データではない改変データを含む、ステップと、
該対象物の該要素タイプ識別子および該要素サブタイプ識別子に基づいて、対象物の要素タイプおよび要素サブタイプを決定するステップと、
該決定された要素タイプに対応する該要素タイプデータと、該対象物の対象物データとに基づいて、該対象物を表示するステップであって、該対象物を表示することは、該対象物の要素サブタイプに基づいて該対象物の改変されたグラフィカル表示を決定することを含む、ステップと
を包含し、
該改変データは、スケーリング因子を含み、
該決定された要素タイプの該グラフィカル表示データ（５１ｂ）は、該スケーリング因子（６１）に基づいて、該決定された要素タイプのグラフィカル表示における２つのコンポーネントの相対サイズを改変するように改変される、方法。
【請求項２】
前記対象物を表示するステップは、前記対象物の対象物位置データ（３２）に従って決定された位置に、前記決定された要素タイプを有する要素のインスタンスを形成するステップを包含する、請求項１に記載の方法。
【請求項３】
前記改変データは、英数字ストリングをさらに含み、
前記決定された要素タイプの前記グラフィカル表示データは、該英数字ストリングに基づいて、該英数字ストリングを該決定された要素タイプのグラフィカル表示に組み込むように改変される、請求項１に記載の方法。
【請求項４】
前記要素タイプデータは、交通標識、交通信号、電話ボックス、街灯、公共交通の停留所、または、植物のうちの少なくとも１つと関連する情報を含む、請求項１〜３のいずれか１項に記載の方法。
【請求項５】
前記対象物データは、対象物サイズデータ（３４）をさらに含み、
前記対象物を表示するステップは、該対象物の対象物サイズデータに、さらに基づく、請求項１〜４のいずれか１項に記載の方法。
【請求項６】
前記電子マップは、三次元マップ（１１）であり、前記グラフィカル表示データは、三次元対象物を表わす、請求項１〜５のいずれか１項に記載の方法。
【請求項７】
前記対象物は、ナビゲーション機器の画面（８）上に表示される、請求項１〜６のいずれか１項に記載の方法。
【請求項８】
都市装備対象物を電子マップ上に表示するためのデータを含むストレージ媒体であって、
少なくとも１つの要素タイプに対する要素タイプデータ（４）であって、該要素タイプデータは、グラフィカル表示データ（５１ｂ）を含む、要素タイプデータ（４）と、
所与の要素タイプのうちの少なくとも１つのサブタイプに対するサブタイプ改変データ（５２ｂ；６１）と
を該ストレージ媒体上に格納し、
該サブタイプ改変データ（５２ｂ；６１）は、該所与の要素タイプの該グラフィカル表示データ（５１ｂ）を改変する情報を含み、該サブタイプ改変データは、グラフィカル表示データではなく、
該サブタイプ改変データ（６１）は、スケーリング因子を含み、
該グラフィカル表示データは、少なくとも２つの別個のコンポーネントを有する該所与の要素タイプのグラフィカル表示に対応し、該少なくとも２つの別個のコンポーネントの相対サイズは、該スケーリング因子によって決定される、ストレージ媒体。
【請求項９】
前記サブタイプ改変データは、英数字ストリングをさらに含み、
前記グラフィカル表示データは、テキストフィールドを規定する前記所与の要素タイプのグラフィカル表示に対応し、
該テキストフィールドのコンテンツは、該英数字ストリングによって決定される、請求項８に記載のストレージ媒体。
【請求項１０】
前記要素タイプデータは、交通標識、交通信号、電話ボックス、街灯、公共交通の停留所、または、植物のうちの少なくとも１つと関連する情報を含む、請求項８または請求項９に記載のストレージ媒体。
【請求項１１】
複数の都市装備対象物に対する対象物データ（３）を自身の上に、さらに格納し、
該対象物データは、対象物位置データ（３２）および要素タイプ同定データ（３３）を含む、請求項８〜１０のいずれか１項に記載のストレージ媒体。
【請求項１２】
都市装備対象物を電子マップ上に表示するシステムであって、
複数の都市装備対象物に対する対象物データ（３）を含む第一のストレージユニット（２）であって、該対象物データは、対象物位置データ（３２）および要素タイプ同定データ（３３）を含み、要素タイプ同定データは、要素タイプ識別子および要素サブタイプ識別子を含む、第一のストレージユニット（２）と、
少なくとも１つの要素タイプに対する要素タイプデータ（４）を含む第二のストレージユニット（２）であって、該要素タイプデータは、グラフィカル表示データ（４１ｂ、４２ｂ；５１ｂ）を含む、第二のストレージユニット（２）と、
該少なくとも１つの要素タイプの少なくとも１つの要素サブタイプに対する要素サブタイプデータを含む第三のストレージユニットであって、該要素サブタイプデータは、グラフィカル表示データではない改変データを含む、第三のストレージユニットと、
対象物の要素タイプ識別子および要素サブタイプ識別子に基づいて、該対象物の要素タイプおよび要素サブタイプを決定し、該対象物の対象物データと、該決定された要素タイプに対応し、かつ、該決定された要素サブタイプに基づいて改変されたグラフィカル表示データ（４１ｂ、４２ｂ；５１ｂ）とに従って、制御信号を出力するプロセッシングユニット（６）と
を含み、
該改変データは、スケーリング因子を含み、
該決定された要素タイプの該グラフィカル表示データ（５１ｂ）は、該スケーリング因子（６１）に基づいて、該決定された要素タイプのグラフィカル表示における２つのコンポーネントの相対サイズを改変するように改変される、システム。
【請求項１３】
前記プロセッシングユニット（６）から前記制御信号を受信し、該制御信号に基づいて、前記対象物を表示する光学出力ユニット（７、８）を含む、請求項１２に記載のシステム。
【請求項１４】
前記第二のストレージユニットは、請求項８〜１１のいずれか１項に記載のストレージ媒体を含む、請求項１２または請求項１３に記載のシステム。
【請求項１５】
前記要素タイプデータは、交通標識、交通信号、電話ボックス、街灯、公共交通の停留所、または、植物のうちの少なくとも１つと関連する情報を含む、請求項１２〜１４のいずれか１項に記載のシステム。
【請求項１６】
請求項１２〜１５のいずれか１項に記載のシステム（１）と、
該システムに車両位置データを提供する位置決定手段と、
該システムから前記制御信号を受信し、該制御信号に基づいて、前記対象物を表示する光学出力ユニット（７、８）と
を含む、ナビゲーション機器。
【請求項１７】
前記プロセッシングユニット（６）は、前記車両位置データにさらに基づいて、前記制御信号を出力する、請求項１６に記載のナビゲーション機器。
【発明の詳細な説明】
【技術分野】
【０００１】
（発明の背景）
本発明は、電子マップに関する。特に、例えば、ナビゲーション機器において、ナビゲーション目的で使用される電子マップに関する。より具体的には、本発明は、都市装備対象物（ｃｉｔｙ  ｆｕｒｎｉｓｈｉｎｇ  ｏｂｊｅｃｔ）を電子マップ上に表示する方法、ストレージ媒体およびシステムに関する。
【背景技術】
【０００２】
電子マップは、例えば、都市計画において、また、ナビゲーション目的で、幅広く使用されている。電子マップは、小さな機器および／または携帯機器の画面上に表示され得るので、用途が多彩で、コンパクトであることに、メリットを有する。さらに、電子マップ上に表示されるデータは、例えば、表示されるマップ部分の縮尺を変更することによって、ユーザに関連し得る追加対象物を（例えば、ナビゲーション機器における方向変化を示す方向矢印を）表示することによって、あるいは、ユーザに関連し得る対象物を強調することによって、容易に改変され、適合し得る。この点において、三次元（３Ｄ）マップは、特に魅力的である。なぜなら、３Ｄマップは、高い認識の質を有するから、すなわち、道路の交差部のような周辺地域の認識が、３Ｄマップによって、従来の二次元表示に比べ、より容易になるからである。
【０００３】
このような３Ｄマップまたは３Ｄ都市モデルにおいて、住宅および道路は、今日、従来のように表示される。しかしながら、認識の質をさらに高めることは、電子マップの中に、より多くの要素を取り入れることによって達成され得る。認識の質をより容易にする都市のこのような静的要素としては、植物、交通標識、交通信号、電話ボックス、街灯、または公共交通の停留所を含むが、これらに限定されず、以下において、都市装備対象物として、まとめて称される。３Ｄ都市モデルまたは３Ｄ電子マップにおいて、都市装備対象物を表示すると、認識の質が高まる一方で、データストレージおよびデータストレージ容量に関する問題が生じることが多い。特に、３Ｄ都市モデルの多くにおいて、対象物は、ベクトルグラフィックデータフォーマットまたは他のグラフィカルデータフォーマットの形式で格納される。この結果、都市装備対象物が表示される場合に、格納されるべきデータの量が多くなり、データ量は、ナビゲーション機器のような携帯機器で利用可能なストレージ容量を容易に超えることになる。
【発明の開示】
【発明が解決しようとする課題】
【０００４】
それゆえ、対象物を電子マップ上に表示する改善方法およびシステムを提供する技術的ニーズがある。特に、都市装備対象物を電子マップ上に表示する改善方法およびシステムであって、データストレージおよび／またはデータ管理が、より効率的になる方法およびシステムに対するニーズが存在する。
【課題を解決するための手段】
【０００５】
（発明の概要）
本発明によると、このニーズは、請求項１に記載の都市装備対象物を電子マップ上に表示する方法、請求項１２に記載のストレージ媒体、請求項１７に記載の都市装備対象物を電子マップ上に表示するシステム、および請求項２３に記載のナビゲーション機器によって対処される。従属請求項は、本発明の好ましい実施形態または有利な実施形態を規定する。
【０００６】
本発明に従う都市装備対象物を電子マップ上に表示する方法は、複数の都市装備対象物に対する対象物データを提供するステップであって、該対象物データは、対象物位置データおよび要素タイプ同定データを備える、ステップと、複数の要素タイプに対する要素タイプデータを提供するステップであって、該要素タイプデータは、グラフィカル表示データを備える、ステップと、該対象物の該要素タイプ同定データに基づいて、対象物の要素タイプを決定するステップと、該決定された要素タイプに対応する該要素タイプデータと、該対象物の対象物データとに基づいて、該対象物を表示するステップとを包含する。本方法に従うと、グラフィカル表示データは、表示されるべき個々の対象物に対して格納される必要は、もはやなく、むしろ、複数の要素タイプに対する要素タイプデータを備える中央データベースまたは要素タイプライブラリの中に格納される。表示されるべき各対象物に対して、該対象物と関連する要素タイプ同定データによって、対応する要素タイプを同定することが可能になり、こうして、該要素タイプ同定データ、該対象物位置データ、および該同定された要素タイプの該グラフィカル表示データに基づいて、電子マップ上に該対象物のグラフィカル表示データを生成できる。好ましくは、上記対象物を表示するステップにおいて、表示されるべき上記対象物の対象物位置データに従って決定された位置で、上記決定された要素タイプを有する要素のインスタンスが、形成される。
【０００７】
本明細書で使用される「都市装備対象物」という用語は、住宅および道路以外の全ての都市の静的対象物または静的要素を意味し、電子マップ上に表示されたとき、電子マップの認識の質を高めるのに有用であり得ることに注意すべきである。これらの都市装備対象物は、その要素タイプに従って、クラス分けされる。さらに、本明細書で使用される「グラフィカル表示データ」という用語は、対象物の一般的な形状を規定する全てのデータ、すなわち、適切なシステムによって処理されたとき、要素のグラフィカル表示を生成することができるデータを意味することに留意すべきである。特に、「グラフィカル表示データ」という用語は、グラフィカルデータ用の特定のデータフォーマットに限定されず、全てのこのような可能なフォーマットを記載することを意図される。
【０００８】
実施形態において、要素タイプ同定データは、要素タイプ識別子であり、この要素タイプ識別子は、例えば、要素ラベルまたは要素タイプ番号の形式である。しかしながら、この要素タイプ同定データは、好ましい実施形態において、要素タイプ識別子と要素サブタイプ識別子との双方を備え、この後者も、また、対象物を表示する方法において決定される。対象物の要素タイプと、この要素タイプのサブタイプとに従って、表示されるべき対象物をクラス分けすることによって、より多くの様々な要素が、表示され得る。例えば、要素タイプ「植物」は、異なる樹木の種に対応する幾つかのサブタイプを有し得る。
【０００９】
要素タイプが、１つのサブタイプまたは幾つかのサブタイプを有する場合、該要素タイプデータは、該要素タイプの少なくとも１つのサブタイプに対するグラフィカル表示データを備え得、該対象物は、該対象物の該要素タイプおよび該要素サブタイプに対応する該グラフィカル表示データに基づいて表示される。特に、一実施形態において、要素サブタイプのグラフィカル表示データは、このサブタイプを有する要素を表示するのに要求される全てのデータを備え得る。この場合、該対象物は、該サブタイプの該グラフィカル表示データに基づいて、直接的に容易に表示され得る。別の実施形態において、該要素サブタイプの該グラフィカル表示データは、該要素サブタイプの該グラフィカル表示データが、対応する要素タイプのグラフィカル表示データと組み合わせらなくてはならないようにして、該対象物の該グラフィカル表示データのサブ部分が再生される（ｒｅｐｒｏｄｕｃｅｄ）ことを可能にするのみである。これは、この要素タイプおよび要素サブタイプを有する対象物のグラフィカル表示を生成するためである。例えば、要素タイプ「交通標識」に対する要素タイプデータは、ジェネリックな交通標識に対する基本的なグラフィカル表示データのセットを備え得るが、その一方で、この要素タイプの各サブタイプに対するグラフィカル表示データは、該交通標識に表示されるべきデータまたはテキスト、例えば、速度制限「５０ｋｍ／ｈ」を特定するのみである。こうして、要素タイプおよび要素サブタイプのグラフィカル表示データを格納するのに要求されるストレージ容量は削減され得る。
【００１０】
さらに、別の実施形態において、要素タイプが、１つのサブタイプまたは幾つかのサブタイプを有する場合、要素タイプデータは、この要素タイプのうちの少なくとも１つのサブタイプに対するサブタイプ改変データを備える。このサブタイプ改変データは、対応する要素タイプのグラフィカル表示データを改変するために使用され得る。それゆえ、サブタイプ改変データは、それ自身によってこの要素サブタイプのグラフィカル表示を生成できるグラフィカル表示データではなく、むしろ、対応する要素タイプのグラフィカル表示データを改変するルールを表す。この場合、対象物は、決定されたサブタイプに対応するグラフィカル表示データと、該決定されたサブタイプに対応するサブタイプ改変データと、対象物の対象物位置データのような対象物データとに基づいて表示される。この実施形態において、サブタイプに対するグラフィカル表示データを個別に提供することは、もはや必要でない。サブタイプ改変データは、対応するグラフィカル表示データより少ないストレージ容量を典型的には要求するので、この実施形態において、ストレージ容量要求は、さらに削減される。
【００１１】
サブタイプ改変データおよび上位要素タイプのグラフィカル表示データは、様々な形式を有し得る。例えば、サブタイプ改変データは、スケーリング因子を備え得、上位要素タイプのグラフィカル表示データは、２つのコンポーネントを有する対象物であり得る。これらのコンポーネントの相対サイズは、サブタイプ改変データによって構成されたスケーリング因子に従って改変される。別の例において、グラフィカル表示データは、テキストストリングまたは英数字ストリングに対するフィールドを規定するグラフィカル表示に対応し得、サブタイプ改変データは、上位要素タイプに対応するグラフィカル表示の中に挿入されるべき英数字ストリングまたはテキストストリングを備え得る。当然、異なるサブタイプ改変データおよび対応するグラフィカル表示データに対する様々な例は、単一の方法で組み合わされ得る。例えば、スケーリング因子の形式であるサブタイプ改変データは、要素タイプ「植物」に対して使用され得る。ここで、要素タイプのグラフィカル表示データは、ジェネリックな樹木の形状を規定する。その一方で、特定のサブタイプと関連する１つまたは幾つかのスケーリング因子は、樹木の全高に対する樹冠の直径の比および／または樹木の全高に対する樹幹の直径の比を規定する。同じ方法で、英数字ストリングの形式でのサブタイプ改変データは、要素タイプ「交通標識」に対して使用され得る。ここで、要素タイプのグラフィカル表示データは、ジェネリックな交通標識の形状に対応する。その一方で、様々なサブタイプに対応する英数字ストリングは、交通標識上に表示されるべきコンテンツを規定する。
【００１２】
上記に既に示されたように、都市装備対象物は、幅広い様々な異なる対象物に対応し得る。実施形態において、異なる要素タイプは、交通標識、交通信号、電話ボックス、街灯、および公共交通の停留所からなる群から選択される。好ましい実施形態において、この群は、植物をさらに含む。異なる要素タイプが多数あることによって、多数の様々な異なる都市装備対象物を、電子マップ上に表示することが可能になり、こうして、認識の質が、さらに高くなる。
【００１３】
対象物データは、対象物サイズデータをさらに含み得、この対象物サイズデータも、また、対象物を表示する際に考慮に入れる。この場合、対象物は、ジェネリックなサイズのみよりも、むしろ、この実サイズに従って表示される。こうして、認識の質が高くなる。
【００１４】
好ましくは、電子マップは、三次元マップであり、要素タイプおよび／または要素サブタイプのグラフィカル表示データは、三次元対象物に対応する。しかしながら、本発明は、三次元マップおよび三次元対象物に限定されず、二次元マップにも同様に適用可能であることに、留意すべきである。電子マップ、および、より具体的には、表示されるべき対象物は、ナビゲーション機器の画面上に表示され得る。
【００１５】
本発明に従うストレージ媒体は、複数の要素タイプに対する要素タイプデータであって、該要素タイプデータは、グラフィカル表示データを備える、要素タイプデータと、所与の要素タイプのうちの少なくとも１つのサブタイプに対するサブタイプ改変データとを該ストレージ媒体上に格納し、該サブタイプ改変データは、該所与の要素タイプの該グラフィカル表示データを改変する情報を備える、ストレージ媒体である。既に以上で説明したように、サブタイプ改変データは、上位要素タイプのグラフィカル表示データを改変するルールを規定するデータである。これは、要素タイプのグラフィカル表示データおよびサブタイプのサブタイプ改変データとを組み合わせることによって、所与の要素タイプおよび対応する要素タイプを有する対象物のグラフィカル表示を得られるようにするためである。このようなサブタイプ改変データは、グラフィカル表示データよりも、要求するストレージ容量が、典型的には少ない。これは、ストレージ媒体上に格納されるべきデータ量の削減に導く。それゆえ、所与のストレージ容量に対して、本発明に従うストレージ媒体は、従来のストレージ媒体に比べ、より大きなクラスの要素タイプおよび要素サブタイプに対応するデータを、その媒体上に格納することができる。
【００１６】
既に以上で説明したように、サブタイプ改変データは、例えば、要素タイプのグラフィカル表示における異なるコンポーネントの相対サイズ、またはテキストフィールドのコンテンツを決定するスケーリング因子または英数字ストリングをそれぞれ備え得る。再び、サブタイプ改変データの異なるタイプは、異なる要素タイプに対して、あるいは、１つの要素タイプに対してでさえ、そのいずれかで、単一のストレージ媒体上で組み合わされ得る。
【００１７】
再び、この要素タイプデータは、交通標識、交通信号、電話ボックス、街灯、および公共交通の停留所からなる群から選択され得る。好ましくは、この群は、植物をさらに含む。
【００１８】
好ましい実施形態において、このストレージ媒体は、複数の都市装備対象物に対する対象物データを自身の該媒体上に、さらに格納し、該対象物データは、対象物位置データおよび要素タイプ同定データを備える。好ましくは、対象物データは、対象物サイズデータをさらに備える。要素タイプデータと対象物データとの双方を自身の上に格納するストレージ媒体は、別個のデータベースにアクセスする必要なく、都市装備対象物を表示できるメリットを有する。
【００１９】
本発明に従う都市装備対象物を電子マップ上に表示するシステムは、複数の都市装備対象物に対する対象物データを含む第一のストレージユニットであって、該対象物データは、対象物位置データおよび要素タイプ同定データを備える、第一のストレージユニットと、複数の要素タイプに対する要素タイプデータを含む第二のストレージユニットであって、該要素タイプデータは、グラフィカル表示データを備える、第二のストレージユニットと、該対象物の要素タイプ同定データに基づいて、表示されるべき対象物の要素タイプを決定し、該対象物の対象物データ、および該決定された要素タイプに対応するグラフィカル表示データに従って、制御信号を出力するプロセッシングユニットとを備える。グラフィカル表示データは、第二のストレージユニットの中に、様々な要素タイプに対して格納され、その一方で、対象物データは、各個々の対象物に対するグラフィカル表示データでなく、むしろ、要素タイプ同定データを備えるのみであるので、所与の全ストレージ容量に対して、このシステムは、多数の都市装備対象物を表示することができる。
【００２０】
このシステムにおいて、第一および第二のストレージユニットは、単一の機器であり得、例えば、ＣＤ−ＲＯＭ、ＣＤ−ＲＷ、ＤＶＤ、ナビゲーションシステムのハードディスク、または、ＳＤカードのようなストレージカードであり得る。代替として、また、第一および第二のストレージユニットは、別個の機器であり得る。
【００２１】
好ましくは、本システムは、プロセッシングユニットから制御信号を受信し、該制御信号に基づいて、対象物を表示する光学出力ユニットをさらに備える。光学出力ユニットは、例えば、ナビゲーション機器のディスプレイを備え得る。
【００２２】
好ましい実施形態において、第一のストレージユニットに含まれる対象物に対する要素タイプ同定データは、要素タイプ識別子および要素サブタイプ識別子を備え、該要素タイプ識別子および該要素サブタイプ識別子の双方に従って、制御信号を出力する。要素タイプおよび要素サブタイプの双方に従って、対象物をクラス分けすることで、幅広い様々な対象物が表示され得る。対象物が要素タイプおよび要素サブタイプに従って、クラス分けされる場合、第二のストレージユニットに含まれる要素タイプデータは、また、少なくとも１つの要素タイプのうちの１つまたは幾つかのサブタイプに関連するデータを備える。要素サブタイプに関連するデータは、要素タイプに対するグラフィカル表示データの形式であり得る。代替として、要素タイプデータは、要素タイプのうちの少なくとも１つのサブタイプに対するサブタイプ改変データを備え得る。ここで、サブタイプ改変データは、上位要素タイプのグラフィカル表示データを改変するルールに対応する。特に、後者の場合、第二のストレージユニットは、本発明に従うストレージ媒体を備えることが好ましい。サブタイプ改変データが提供される場合、第二のストレージユニットに格納されるべきデータの量は、特に少なくなる。
【００２３】
再び、この異なる要素タイプは、交通標識、交通信号、電話ボックス、街灯、および公共交通の停留所からなる群から選択され得る。好ましくは、この群は、植物をさらに含む。
【００２４】
本発明に従うナビゲーション機器は、本発明に従う対象物を表示するシステムと、車両位置データを該システムに提供する手段を提供する位置決定手段と、該システムから制御信号を受信し、該制御信号に基づいて、該対象物を表示する光学出力ユニットとを備える。好ましくは、このシステムのプロセッシングユニットによって出力される制御信号は、この位置決定手段から受信される車両位置データに、さらに基づく。ナビゲーション機器において、都市装備対象物は、光学出力ユニットによって表示され得、こうして、ドライバを案内するためのナビゲーション機器によって表示される電子マップ上の認識の質は高まる。さらに、位置決定手段は、車両位置を決定し、対象物を表示するシステムに、車両位置データを提供するので、光学出力ユニットによって表示される電子マップの部分は、車両位置データに基づいて、自動的に選択され得る。特に、地図の一部分が、車両にいるドライバの視野に対応するように、選択され得る。
【００２５】
本発明に従う方法、ストレージ媒体およびシステムによって、都市装備対象物を三次元電子マップまたは三次元都市モデルの中に組み込み、その一方で、効率的なデータストレージおよびデータ管理を提供することが可能になる。
【００２６】
本発明の用途の主たる分野は、電子マップと、その電子マップを表示する機器であり、特に、ナビゲーション機器である。
【００２７】
本発明の追加の特徴および利点は、添付図面を参照しながら、以下の好ましい実施形態または有利な実施形態の詳細な説明から、より容易に理解される。
【００２８】
本発明は、さらに、以下の手段を提供する。
（項目１）
都市装備対象物を電子マップ（１１、１２）上に表示する方法であって、
複数の都市装備対象物に対する対象物データを提供するステップであって、該対象物データは、対象物位置データ（３２）および要素タイプ同定データ（３３）を備える、ステップと、
少なくとも１つの要素タイプに対する要素タイプデータを提供するステップであって、該要素タイプデータは、グラフィカル表示データ（４１ｂ、５１ｂ）を備える、ステップと、
該対象物の該要素タイプ同定データに基づいて、対象物の要素タイプを決定するステップと、
該決定された要素タイプに対応する該要素タイプデータと、該対象物の対象物データとに基づいて、該対象物を表示するステップと
を包含する、方法。
（項目２）
上記対象物を表示するステップは、上記対象物の対象物位置データ（３２）に従って決定される位置に、上記決定された要素タイプを有する要素のインスタンスを形成するステップを包含する、項目１に記載の方法。
（項目３）
上記要素タイプ同定データ（３３）は、要素タイプ識別子と、要素サブタイプ識別子とを備え、
上記方法は、該要素タイプ同定データに基づいて、上記対象物のサブタイプを決定するステップをさらに包含する、項目１または項目２に記載の方法。
（項目４）
上記要素タイプデータは、要素タイプに対し、該要素タイプのうちの少なくとも１つのサブタイプに対するグラフィカル表示データ（４２ｂ）を備え、
上記対象物は、上記決定されたサブタイプに対応する該グラフィカル表示データ（４２ｂ）と、該対象物の上記対象物データとに基づいて表示される、項目３に記載の方法。
（項目５）
上記要素タイプデータは、要素タイプに対し、該要素タイプのうちの少なくとも１つのサブタイプに対するサブタイプ改変データ（５２ｂ；６１）を備え、
上記対象物は、上記決定された要素タイプに対応するグラフィカル表示データ（５１ｂ）と、上記決定されたサブタイプに対応するサブタイプ改変データ（５２ｂ；６１）と、該対象物の該対象物データとに基づいて表示され、
該グラフィカル表示データ（５１ｂ）は、該サブタイプ改変データ（５２ｂ；６１）に従って改変される、項目３に記載の方法。
（項目６）
上記サブタイプ改変データ（６１）は、スケーリング因子を備え、
上記決定された要素タイプの上記グラフィカル表示データ（５１ｂ）は、該スケーリング因子（６１）に基づいて、該決定された要素タイプのグラフィカル表示における２つのコンポーネントの相対サイズを改変するように改変される、項目５に記載の方法。
（項目７）
上記サブタイプ改変データは、英数字ストリングを備え、
上記決定された要素タイプの上記グラフィカル表示データは、該英数字ストリングに基づいて、該英数字ストリングを該決定された要素タイプのグラフィカル表示に組み込むように改変される、項目５または項目６に記載の方法。
（項目８）
上記要素タイプデータは、交通標識、交通信号、電話ボックス、街灯、公共交通の停留所、または植物のうちの少なくとも１つと関連する情報を備える、項目１〜７のいずれか１項に記載の方法。
（項目９）
上記対象物データは、対象物サイズデータ（３４）をさらに備え、
上記対象物を表示するステップは、該対象物の対象物サイズデータに、さらに基づく、項目１〜８のいずれか１項に記載の方法。
（項目１０）
上記電子マップは、三次元マップ（１１）であり、上記グラフィカル表示データは、三次元対象物を表わす、項目１〜９のいずれか１項に記載の方法。
（項目１１）
上記対象物は、ナビゲーション機器の画面（８）上に表示される、項目１〜１０のいずれか１項に記載の方法。
（項目１２）
都市装備対象物を電子マップ上に表示するためのデータを含むストレージ媒体であって、
少なくとも１つの要素タイプに対する要素タイプデータ（４）であって、該要素タイプデータは、グラフィカル表示データ（５１ｂ）を備える、要素タイプデータ（４）と、
所与の要素タイプのうちの少なくとも１つのサブタイプに対するサブタイプ改変データ（５２ｂ；６１）と
を該ストレージ媒体上に格納し、
該サブタイプ改変データ（５２ｂ；６１）は、該所与の要素タイプの該グラフィカル表示データ（５１ｂ）を改変する情報を備える、ストレージ媒体。
（項目１３）
上記サブタイプ改変データ（６１）は、スケーリング因子を備え、
上記グラフィカル表示データは、少なくとも２つの別個のコンポーネントを有する上記所与の要素タイプのグラフィカル表示に対応し、該少なくとも２つの別個のコンポーネントの相対サイズは、該スケーリング因子によって決定される、項目１２に記載のストレージ媒体。
（項目１４）
上記サブタイプ改変データは、英数字ストリングを備え、
上記グラフィカル表示データは、テキストフィールドを規定する上記所与の要素タイプのグラフィカル表示に対応し、
該テキストフィールドのコンテンツは、該英数字ストリングによって決定される、項目１２または項目１３に記載のストレージ媒体。
（項目１５）
上記要素タイプデータは、交通標識、交通信号、電話ボックス、街灯、公共交通の停留所、または植物のうちの少なくとも１つと関連する情報を備える、項目１２〜１４のいずれか１項に記載のストレージ媒体。
（項目１６）
複数の都市装備対象物に対する対象物データ（３）を自身の上に、さらに格納し、
該対象物データは、対象物位置データ（３２）および要素タイプ同定データ（３３）を備える、項目１２〜１５のいずれか１項に記載のストレージ媒体。
（項目１７）
都市装備対象物を電子マップ上に表示するシステムであって、
複数の都市装備対象物に対する対象物データ（３）を含む第一のストレージユニット（２）であって、該対象物データは、対象物位置データ（３２）および要素タイプ同定データ（３３）を備える、第一のストレージユニット（２）と、
少なくとも１つの要素タイプに対する要素タイプデータ（４）を含む第二のストレージユニット（２）であって、該要素タイプデータは、グラフィカル表示データ（４１ｂ、４２ｂ；５１ｂ）を備える、第二のストレージユニット（２）と、
対象物の要素タイプ同定データ（３３）に基づいて、該対象物の要素タイプを決定し、該対象物の対象物データ、および該決定された要素タイプに対応するグラフィカル表示データ（４１ｂ、４２ｂ；５１ｂ）に従って、制御信号を出力するプロセッシングユニット（６）と
を備える、システム。
（項目１８）
上記プロセッシングユニット（６）から上記制御信号を受信し、該制御信号に基づいて、上記対象物を表示する、光学出力ユニット（７、８）を備える、項目１７に記載のシステム。
（項目１９）
対象物に対して、上記第一のストレージユニットに含まれる上記要素タイプ同定データ（３３）は、要素タイプ識別子（３３ａ）および要素サブタイプ識別子（３３ｂ）を備え、
上記プロセッシングユニット（６）は、該要素タイプ識別子（３３ａ）および該要素サブタイプ識別子（３３ｂ）の双方に従って、上記制御信号を出力する、項目１７または項目１８に記載のシステム。
（項目２０）
要素タイプに対して、上記第二のストレージユニット（２）に含まれる上記要素タイプデータ（４）は、上記要素タイプのうちの少なくとも１つのサブタイプに対するグラフィカル表示データ（４２ｂ）を備える、項目１７〜１９のいずれか１項に記載のシステム。
（項目２１）
上記第二のストレージユニットは、項目１３〜１８のいずれか１項に記載のストレージ媒体を備える、項目１７〜２０のいずれか１項に記載のシステム。
（項目２２）
上記要素タイプデータは、交通標識、交通信号、電話ボックス、街灯、公共交通の停留所、または植物のうちの少なくとも１つと関連する情報を備える、項目１７〜２１のいずれか１項に記載のシステム。
（項目２３）
項目１７〜２２のいずれか１項に記載のシステム（１）と、
該システムに車両位置データを提供する手段を提供する位置決定手段と、
該システムから上記制御信号を受信し、該制御信号に基づいて、上記対象物を表示する光学出力ユニット（７、８）と
を備える、ナビゲーション機器。
（項目２４）
上記プロセッシングユニット（６）は、上記車両位置データにさらに基づいて、上記制御信号を出力する、項目２３に記載のナビゲーション機器。
【００２９】
（摘要）
都市装備対象物を電子マップ上に表示するシステムは、対象物データ（３）および要素タイプデータ（４）を含む第一のストレージユニット（２）と、作業メモリユニット（５）と、プロセッシングユニット（６）と、ディスプレイ（８）を有する光学出力ユニット（７）とを備える。該対象物データ（３）は、対象物位置データと、対象物の要素タイプを同定するための要素タイプ同定データとを備え、要素タイプデータ（４）は、少なくとも１つの要素タイプに対するグラフィカル表示データを備える。制御信号は、該対象物データ（３）と該要素タイプデータ（４）との双方に基づいて、該プロセッシングユニット（６）によって生成され、該光学出力ユニット（７）に出力される。これは、該要素タイプ同定データによって特定される要素タイプを有する対象物のインスタンスを生成することによって、該対象物位置データによって特定された位置に表示されるべき対象物を実行するためである。
【発明を実施するための最良の形態】
【００３０】
（好ましい実施形態の説明）
まず、図１を参照して、都市装備対象物を電子マップ上に表示するシステム１が、説明される。システム１は、本発明に従って、都市装備対象物を電子マップ上に表示する方法を実行するように設計され、ストレージユニット２と、作業メモリユニット５と、プロセッシングユニット６と、光学出力ユニット７とを備える。光学出力ユニット７は、ディスプレイ８を備える。
【００３１】
ストレージユニット２は、例えば、ＣＤ−ＲＯＭ、ＤＶＤ、またはナビゲーション機器のハードディスクであり得、３および４で模式的に表される対象物データおよび要素タイプデータをそのストレージユニット２上に、それぞれ格納している。以下により詳細に説明されるように、対象物データは、対象物位置データおよび要素タイプ同定データを備え、対象物位置データは、表示されるべき対象物の位置を、例えば、デカルト座標のｘおよびｙの形式で特定し、その一方、要素タイプ同定データによって、対象物の要素タイプを決定することができる。重要なことは、表示されるべき対象物の少なくとも幾つかにおいて、対象物データは、それ自身で、対象物に関連する全ての形状情報を含む完全なグラフィカル表示データを含まないことである。対照的に、要素タイプデータは、４で模式的に示され、複数の要素タイプに対するグラフィカル表示データを備える。所与の要素タイプに対するグラフィカル表示データは、一度、その対象物の対応する位置と、場合によっては、そのサイズとが特定されたら、この所与の要素タイプを有する対象物のインスタンスを生成できるようにする。要素タイプデータ４は、要素タイプライブラリとして機能する。したがって、システム１において、対象物は、対象物データ３および要素タイプデータ４によって提供される情報を組み合わせることによって表示される。
【００３２】
都市装備対象物を表示するために、対象物データのサブセットと、要素タイプデータの全てまたは１つのサブセットは、ストレージユニット２から読まれ、一時的に、作業メモリユニット５の中に格納される。また、この作業メモリユニット５は、プロセッシングユニット６の内部メモリでもあり得る。一時的に、作業メモリユニット５の中に格納されるべき対象物データのサブセットは、表示されるべきマップの部分に基づいて、あるいは都市装備対象物が組み込まれるべきであるマップの部分に基づいて、典型的には選択される。すなわち、対象物データのサブセットは、それぞれの対象物の対象物位置データ、および表示されるべきマップの部分の座標に基づいて選択される。次いで、表示されるべき対象物の要素タイプ同定データが、プロセッシングユニット６によって読まれ、制御信号が、光学出力ユニット７に出力される。これは、表示されるべき対象物の対象物位置データによって特定される位置に、要素タイプのインスタンスを生成するためである。以下に、図４〜図８を参照して、より十分に説明されるように、制御信号を出力することは、また、より複雑であり得る。これは、決定された要素タイプに対応するグラフィカル表示データが、表示されるべき対象物の対象物データによって構成される追加のパラメータ、例えば、より幅広い様々な都市装備対象物を表示できるようにする追加のパラメータに依存して改変され得るという意味においてである。例えば、対象物データは、生成されたインスタンスのサイズが調整されることに基づく対象物サイズデータを備え得る。
【００３３】
再び、プロセッシングユニット６によって光学出力ユニット７に出力される制御信号は、表示されるべき対象物の対象物データと、要素タイプデータとの双方に基づいて生成されることに留意すべきである。それゆえ、グラフィカル表示データは、表示されるべき個々の都市装備対象物それぞれに対して、もはや格納される必要はなく、グラフィカル表示データのみが、複数のジェネリックな要素タイプに対して格納されるだけなので、本システムにおいて、ストレージ空間の要求は、削減される。
【００３４】
図２および図３は、それぞれ模式的に示された三次元および二次元電子マップである。これらのマップ中に、表示されたビルに加えて、植物の形式での都市装備対象物が、含まれる。図２において、植物に対する三次元のジェネリックな表示が使用され、植物のグラフィカル表示は、幹と、球状の樹冠の終端部とを備える。しかしながら、図２から分かり得るように、各都市装備対象物の合計サイズと、この合計サイズに比較しての樹冠の相対サイズとの双方は、表示される各対象物に対して、個々に調整され得る。
【００３５】
三次元電子マップは、本発明の用途の好ましい分野であるが、本発明は、これに限定されない。むしろ、図３に示される二次元電子マップ１２として模式的に示されるように、植物のような都市装備対象物は、これもまた二次元マップの中に組み込まれ得る。ここで、例えば、各樹木および各低木は、マップ１２で、円によって表わされる。
【００３６】
次いで、図４を参照して、本発明の実施形態に従う対象物データ３に対するデータ構造が、説明される。図示された例示的な実施形態において、対象物データ３は、複数の列３１〜３４を有するデータ配列の形式で提供される。ここで、第一の列３１は、単なる数字識別子によって対象物を同定し、第二の列３２ａおよび第三の列３２ｂは、対象物のデカルト座標をそれぞれ含み、列３３ａおよび３３ｂは、対象物の要素タイプおよび要素サブタイプをそれぞれ特定し、列３４は、対象物サイズを特定する。対象物に対して、その対象物の位置を特定する列３２ａおよび３２ｂのデータエントリは、対象物位置データである。その一方、要素タイプおよび要素サブタイプをそれぞれ特定する列３３ａおよび３３ｂのエントリは、要素タイプ同定データである。当然、異なる対象物をラベル付けする第一の列３１は、必ずしも提供される必要はないことに留意されるべきである。なぜなら、対象物は、また、その位置に従って、同定され得るからである。さらに、この図では示されないが、追加データエントリが、例えば、特定の対象物に対する異なるコンポーネントのサイズまたは相対的サイズを特定するものが提供される。異なる要素タイプは、例えば、植物、交通標識、交通信号、電話ボックス、街灯、および公共交通の停留所から選択され得る。これらの要素タイプのそれぞれは、１つまたは幾つかのサブタイプにサブ分割され得るが、必ずしもその必要はない。例えば、要素タイプ「植物」は、シナノキ属（Ｔｉｌｉａ）、コナラ属（Ｑｕｅｒｃｕｓ）、カエデ属（Ａｃｅｒ）、およびハリエンジュ属（Ｒｏｂｉｎｉａ）のような異なる樹木または低木の種に対応する様々なサブタイプを有し得る。同様に、要素タイプ「交通標識」は、一時停止の標識、先方優先の標識、および様々な速度制限の標識のような様々なサブタイプを有し得る。
【００３７】
図４に模式的に示されるような都市装備対象物に関連する対象物データは、現在のナビゲーション機器に対して使用されるマップデータには、典型的には含まれていない。しかしながら、図４に示されるような対象物データは、例えば、地籍図から自動的に生成され得る。地籍図において、都市装備対象物は、ベクトルグラフィックデータの形式で格納されることが多く、例えば、樹木および低木は円で表わされる。これらの地籍図は、電子形式で典型的に利用可能であり、植物対象物に対する対象物位置および対象物サイズを推察するために、画像認識ソフトウェアを用いて解析され得る。さらに、市の庭園公園課は、道路沿いに植えられた植物に関連するデータで、電子形式で利用可能なものを有する。このデータは、しばしば、植えられた植物の種を含むことさえある。それゆえ、様々な対象物に対する要素サブタイプは、このデータから推察され得る。同様に、交通標識および街灯の位置およびタイプを特定する情報は、道路建設局から利用可能であることが多い。
【００３８】
次いで、図５を参照して、本発明の例示的な実施形態に従う要素タイプデータのストレージが説明される。模式的に図示されたように、要素タイプＡは、要素サブタイプＡαおよびＡβを有する。同様に、要素タイプＢは、要素サブタイプＢαを有する。要素タイプデータは、各要素タイプおよび要素サブタイプに対するグラフィカル表示データを備える。既に以前に述べたように、「グラフィカル表示データ」という用語は、特定のデータフォーマットに限定されることなく、表示されるべき要素の幾何学的形状を特定するデータを意味する。特に、グラフィカル表示データは、例えば、ベクトルグラフィックデータ、多角形形状、または球状に対応し、場合によって、テキスチャ情報によって補充されたものであり得るか、あるいは任意の他の適切な形式を有し得る。各要素タイプおよび要素サブタイプに対するデータ４１〜４５は、それぞれ、同定フィールド（例えば、４１ａまたは４２ａ）によって補充されたグラフィカル表示データ４１ｂまたは４２ｂを備える。この同定フィールドは、要素タイプまたは要素サブタイプと、対応するグラフィカル表示データとの間で確立されるべき対応を可能にする。
【００３９】
例えば、要素タイプＡが、「植物」を表わす場合、グラフィカル表示データ４１ｂは、円筒状の幹および球状の樹冠を有するジェネリックな木のグラフィカル表示を記述し得る。様々なサブタイプのグラフィカル表示データは、例えば、その変種を、例えば、楕円形の樹冠を有する木、三角形状の樹冠を有する木を記述し得る。どの要素サブタイプも、表示されるべき対象物に対して特定されない場合、特定された要素タイプのグラフィカル表示データは、対象物を表示するために使用される。すなわち、対応する要素タイプのインスタンスが生成される。対照的に、要素サブタイプが特定される場合、サブタイプのグラフィカル表示データが、使用される。
【００４０】
再び、対象物は、対象物データと要素タイプデータとを組み合わせることによって、表示されることは、強調されるべきである。より具体的には、グラフィカル表示データ（例えば、図５の４１ｂまたは４２ｂ）は、典型的には、特定されたサイズを有する対応する要素タイプまたは要素サブタイプのインスタンスが、対象物データによって特定される位置に生成される前に、表示されるべき対象物の対象物サイズ情報によって補充される。
【００４１】
図５によって例示された要素タイプデータにおいて、グラフィカル表示データは、様々なサブタイプに対して提供される。これは、１つのサブタイプまたは様々なサブタイプのグラフィカル表示が、上位要素タイプのグラフィカル表示とは非常に異なる場合に、適切であり得るが、サブタイプの幾何学的表示が、対応する上位要素タイプのグラフィカル表示から簡単な方法で導き出され得る場合、要素タイプおよび要素サブタイプデータを格納するのに、より効率的な方法があり、この方法については、以下に説明される。
【００４２】
図６に例示された要素タイプデータにおいて、要素タイプＡは、サブタイプＡα、サブタイプＡβおよびＡγをそれぞれ有し、要素タイプＢは、サブタイプＢαを有する。要素タイプＡおよび要素タイプＢの双方に対して、対応するサブタイプのグラフィカル表示は、上位要素タイプのグラフィカル表示から、例えば、要素タイプのグラフィカル表示の様々なコンポーネントをスケーリングすることによって、あるいは、このグラフィカル表示の中にテキストストリングを挿入することによって、容易に導き出すことができると仮定する。この場合、模式的に示されているように、要素タイプＡに関連するデータは、識別子フィールド５１ａおよびグラフィカル表示データ５１ｂを備える。しかしながら、５２〜５４で示されるように、様々なサブタイプに関連するデータは、サブタイプに対して、グラフィカル表示データの異なるセットを備えず、５２ｂで例示されるように、サブタイプ改変データのみである。サブタイプ改変データは、上位要素タイプのグラフィカル表示データを改変するルールを提供する。
【００４３】
例として、サブタイプ改変データは、図８を参照して、さらに説明される。例として、要素タイプ「植物」を考えると、この要素のグラフィカル表示データは、ジェネリックな植物形状は、例えば、図８Ａに示される形式において、植物形状は、円筒状の樹幹と球状の樹冠を有する形状を特定するようになり得る。この例において、対象物の形状は、３つのパラメータ、すなわち、全高ｄ１、樹冠の直径ｄ２、幹の直径ｄ３によって決定される。様々な樹木および低木の種の１つに属している樹木に対して、これらのパラメータの比率は、ほぼ等しい。それゆえ、図８Ｂに模式的に示されるように、要素タイプが植物であるサブタイプ改変データは、比率ｄ１／ｄ２およびｄ３／ｄ２をそれぞれ決定する数値を備え得る。これらのサブタイプ改変データは、例えば、シナノキ属、コナラ属、カエデ属、およびハリエンジュ属のような様々な木の種に対して提供され得る。さらに、追加のサブタイプ「標準」が、他のサブタイプのいずれによっても特定されない全ての対象物に適用され得る。上位要素タイプが「植物」であるグラフィカル表示データを組み合わせるとき、２つの比率ｄ１／ｄ２およびｄ３／ｄ２の形式におけるこのサブタイプ改変データは、サブタイプを有する樹木の一般的な幾何学的形状を規定する。それゆえ、対象物データの中に格納された対象物サイズデータによって補充されたとき、図４に模式的に示されるように、要素タイプのグラフィカル表示データ、サブタイプ改変データ、および対象物位置データは、対象物データによって決定された位置で、要素サブタイプのインスタンスを生成することができる。
【００４４】
以上から明らかなように、要素サブタイプが、サブタイプ改変データによって特定される場合、上位要素タイプのグラフィカル表示データは、直接表示されない。むしろ、要素タイプのグラフィカル表示データが、対応するサブタイプ改変データによって提供されるルールに従って、最初に改変される。
【００４５】
次いで、図７を参照して、対象物を表示する例示的な方法が説明される。これは、対象物がサブタイプ改変データで特定される要素サブタイプを有する場合で、図６で示されるように、サブタイプＡα、Ａβ、Ａγ、およびＢαと、対応するデータ５２、５３、５４、および５６とにおいてである。この方法は、全体的に、９０で示される。最初に、ステップ９１および９２で、対象物の要素タイプおよび要素サブタイプが、それぞれ決定されて、表示される。次いで、ステップ９３で、決定された要素タイプに対応するグラフィカル表示データが、例えば、作業メモリユニット５の中に、それらを格納することによって、読まれる。ステップ９４で、決定されたサブタイプに対応するサブタイプ改変データが、読まれる。引き続き、ステップ９５で、要素タイプのグラフィカル表示データおよびサブタイプ改変データから、要素サブタイプに対応するグラフィカル表示データが、生成される。図８に示される例において、ステップ９５で、ジェネリックな要素タイプが「植物」であるグラフィカル表示データは、そのデータの中に、樹高と比較しての樹冠および樹幹の相対的な寸法であり、対応するサブタイプによって特定されるこれらのパラメータを組み込むことによって、それぞれ改変される。その後、ステップ９６で、対象物位置および対象物サイズが決定され、ステップ９７で、要素サブタイプのインスタンスが、対象物位置に形成される。当然であるが、ステップ９７でインスタンスを生成する前に、ステップ９５でグラフィカル表示データを個別に生成するよりも、むしろ、ステップ９５と９７とは、単一のステップに組み合わされ得る。
【００４６】
図８を参照してのサブタイプ改変データに関する上記の説明は、単なる例示に過ぎず、サブタイプ改変データは、幅広い様々な異なる形式を有し得ることは、理解されるべきである。例えば、サブタイプ改変データは、上位要素タイプのグラフィカル表示の中に組み込まれるべき英数字ストリングからなり得るか、あるいは、この英数字ストリングを備え得て、このことは、例えば、交通標識の場合、有用であり得る。代替として、サブタイプ改変データは、また、表示されるべき要素タイプのサブ部分のグラフィカル表示も備え得る。例えば、要素タイプ「公共交通の停留所」に対して、サブタイプ改変データは、生成されるべき一時停止の標識のグラフィカル表示を可能にするデータを備え得る。この一時停止の標識は、公共交通の停留所が、バス、地下鉄、または地域鉄道に対する停留所であるかどうかを特定し、この一時停止の標識のグラフィカル表示は、上位要素タイプのグラフィカル表示データによって規定されるジェネリックな公共交通の停留所のグラフィカル表示の中に組み込まれる。
【００４７】
サブタイプ改変データは、様々な形式を有する一方で、これらの様々な形式は、単一のストレージユニットの中で結合され得ることは、理解されるべきである。特に、所与の要素タイプおよび要素サブタイプに対して、サブタイプ改変データの形式は、格納されるべきデータの量が最小化されることができるように、選択される。さらに、既に以上で述べたように、サブタイプ改変データの形式におけるデータストレージは、図６に示されるように、全ての要素タイプに適用される必要はない。むしろ、図５および図６に模式的に表された要素タイプデータストレージの２つの異なる形式は、単一のストレージユニットに相互に結合され得る。
【００４８】
上記から明らかなように、対象物データおよび要素タイプデータを個別に提供することは、要素タイプデータストレージに対する最も適切なフォーマットを選択することのできる多彩性と組み合わさって、ストレージ空間の要求を削減することができる。本明細書で記載された方法およびシステムの更なるメリットは、この方法およびシステムが、異なる標的システムに容易に適応され得るという事実の結果によるものである。特に、グラフィカル表示データは、要素タイプデータの中に集中的に、すなわち、要素タイプライブラリの中に格納されるので、表示される全ての対象物の表示は、要素タイプデータのみを改変することで、容易に変更され得る。例えば、要素タイプデータを適切に改変することで、本明細書に記載された方法およびシステムは、逐次幾何学モデル、αチャネルテキスチャを用いる多角形構造、球体構造などに、等しく適用可能である。要素タイプデータの改変は、対応する要素の全てのインスタンスに直接影響する。
【００４９】
要約すると、本発明による方法およびシステムによって、都市装備対象物を電子マップ上に表示することが可能になり、こうして、認識の質を改善でき、その一方で、改善されたデータストレージおよびデータ管理のお陰で、ストレージ空間の要求を妥当な範囲に収めることができる。
【図面の簡単な説明】
【００５０】
【図１】本発明の実施形態に従う都市装備対象物を電子マップ上に表示するシステムの模式的ブロック図を示す。
【図２】本発明の実施形態に従う方法を用いて生成される三次元電子マップの模式図を示す。
【図３】本発明の実施形態に従う方法を用いて生成される二次元電子マップの模式図を示す。
【図４】本発明の実施形態に従って、格納された対象物データを模式的に示す。
【図５】本発明の実施形態に従って、格納された要素タイプデータを模式的に示す。
【図６】本発明の別の実施形態に従って、格納された要素タイプデータを模式的に示す。
【図７】本発明の実施形態に従って、対象物を表示する方法を表す流れ図を示す。
【図８Ａ】本発明の実施形態に従って、要素サブタイプ改変データに基づく要素サブタイプのグラフィカル表示の生成を模式的に示す。
【図８Ｂ】本発明の実施形態に従って、要素サブタイプ改変データに基づく要素サブタイプのグラフィカル表示の生成を模式的に示す。
【符号の説明】
【００５１】
１  システム
２  ストレージユニット
３  対象物データ
４  要素タイプデータ
５  作業メモリユニット
６  プロセッシングユニット
７、８  光学出力ユニット
１１、１２  電子マップ
３２  対象物位置データ
３３  要素タイプ同定データ
３４  対象物サイズデータ
４１ｂ、４２ｂ、５１ｂ  グラフィカル表示データ
５２ｂ；６１  サブタイプ改変データ
【図１】
0005554467.tif 000002
【図２】
0005554467.tif 000003
【図３】
0005554467.tif 000004
【図４】
0005554467.tif 000005
【図５】
0005554467.tif 000006
【図６】
0005554467.tif 000007
【図７】
0005554467.tif 000008
【図８Ａ】
0005554467.tif 000009
【図８Ｂ】
0005554467.tif 000010